(57)【要約】【課題】小型軽量で、顔面に装着したまま移動することができる美顔器を提供する。【解決手段】マイクロバブル混入水を生成するマイクロバブル水発生装置２を設け、該装置の水流入口に水を供給する手動ポンプ１５を備え、マイクロバブル水発生装置２を収容するとともに生成したマイクロバブル混入水を貯留する小容量の収容容器１４を設け、該収容容器の底部に流出路を形成し、該流出路の途中に霧化装置を設け、顔面を覆い顔面との間に空間部を形成するマスク３０を設け、マスクの上部に収容容器１４と流出路と霧化装置とを収容するとともに流出路の出口となり空間部内に連通する噴霧口２７を形成し、マスクを顔に装着する装着具を備え、マスクには目と対向する位置に開口３８を設け、マスクの内面に発光素子３５ａ，３５ｂを備え、発光素子は紫外線を含む光を照射するＬＥＤであり、水流入口に供給する水に薬効成分を混入させる。【選択図】図２
0003210494.tif 000002
【実用新案登録請求の範囲】
【請求項１】
マイクロバブルを混入した水を生成するマイクロバブル水発生装置を設け、該マイクロバブル水発生装置の水流入口に水を供給する手動ポンプを備え、前記マイクロバブル水発生装置を収容するとともに生成したマイクロバブル混入水を貯留する小容量の収容容器を設け、該収容容器の底部にマイクロバブル混入水の流出路を形成し、該流出路の途中に霧化装置を設け、顔面を覆い顔面との間に空間部を形成するマスクを設け、該マスクの上部に前記収容容器と流出路と霧化装置とを収容するとともに前記流出路の出口となり前記空間部内に連通する噴霧口を形成し、前記マスクを顔に装着する装着具を備え、前記マスクには少なくとも目と対向する位置に開口を設け、前記マスクの内面に顔面に向けて光を照射する発光素子を備えており、該発光素子は紫外線を含む光を照射するＬＥＤであり、前記マイクロバブル水発生装置の水流入口に供給する水に薬効成分を混入させたことを特徴とする美顔器。
【請求項２】
水に混入させる薬効成分はビタミンＣ及び／又はホウ酸である請求項１に記載の美顔器。
【請求項３】
マスクの鼻部又は口部に開口を設け、該開口に連通するマウスピースを備えた請求項１又は２に記載の美顔器。
【考案の詳細な説明】
【技術分野】
【０００１】
本考案は、小型軽量で装着したままでも移動できる美顔器に関する。
【背景技術】
【０００２】
従来、流体を気化又は霧化した噴出物質が顔面全体に広がってあたるとともに顔面にあたらずに周囲に飛散するのを防止できる美顔器として、内面側に顔面洗浄空間を形成するカップ本体と、顔面洗浄空間側に顔面全体を臨ませ得る開口部とを具備する顔面用カップを有するとともに噴出口をカップ本体の内面側に多数設けたものが知られている（特許文献１）。
また、ボウル部を有する洗浄水受けと、水タンクと、ボウル部内に設置される噴射ノズルと洗浄水を溜める洗面器と、マイクロバブル発生装置とを具備した洗顔器がある（特許文献２）。
【０００３】
しかし、これらは、いずれも装置が大型かつ構造も複雑で、洗顔作業は、これらの装置の設置場所で行わなければならないし、また、洗顔作業中は、それに専念しなければならず他の作業等を行うことはできない。
そこで、本考案者は、小型軽量で、顔面に装着したまま移動することができ、光を照射することにより美顔効果の向上が期待できる美顔器を開発している（特許文献３、特許文献４）が、更なる美顔効果の向上が望まれる。
【先行技術文献】
【特許文献】
【０００４】
【特許文献１】特開２００３−６７２号公報
【特許文献２】特開２０１２−１９８２５号公報
【特許文献３】実用新案登録第３１８７２４４号公報
【特許文献４】実用新案登録第３２０７５７２号公報
【考案の概要】
【考案が解決しようとする課題】
【０００５】
そこで、本考案は、小型軽量で、顔面に装着したまま移動することができ、光の照射による効果に加えて更なる美顔効果の期待できる美顔器を提供することを目的とする。
【課題を解決するための手段】
【０００６】
上記の課題を解決するために、請求項１に係る考案は、マイクロバブルを混入した水を生成するマイクロバブル水発生装置を設け、該マイクロバブル水発生装置の水流入口に水を供給する手動ポンプを備え、前記マイクロバブル水発生装置を収容するとともに生成したマイクロバブル混入水を貯留する小容量の収容容器を設け、該収容容器の底部にマイクロバブル混入水の流出路を形成し、該流出路の途中に霧化装置を設け、顔面を覆い顔面との間に空間部を形成するマスクを設け、該マスクの上部に前記収容容器と流出路と霧化装置とを収容するとともに前記流出路の出口となり前記空間部内に連通する噴霧口を形成し、前記マスクを顔に装着する装着具を備え、前記マスクには少なくとも目と対向する位置に開口を設け、前記マスクの内面に顔面に向けて光を照射する発光素子を備えており、該発光素子は紫外線を含む光を照射するＬＥＤであり、前記マイクロバブル水発生装置の水流入口に供給する水に薬効成分を混入させたこと、を特徴としている。
請求項２に係る考案は、水に混入させる薬効成分をビタミンＣ及び／又はホウ酸としたものである。
請求項３に係る考案は、マスクの鼻部又は口部に開口を設け、該開口に連通するマウスピースを備えたものである。
【考案の効果】
【０００７】
請求項１に係る考案は、マイクロバブル水発生装置を収容するとともに生成したマイクロバブル混入水を貯留する小容量の収容容器を設け、該収容容器の底部にマイクロバブル混入水の流出路を形成し、該流出路の途中に霧化装置を設け、顔面を覆い顔面との間に空間部を形成するマスクを設け、該マスクの上部に前記収容容器と流出路と霧化装置とを収容するとともに前記流出路の出口となり前記空間部内に連通する噴霧口を形成し、前記マスクを顔に装着する装着具を備え、前記マスクには少なくとも目と対向する位置に開口を設けたので、美顔器全体が小型軽量で、美顔器を顔に装着したまま移動することができ、また他の作業を行いながら使用することができる。
また、収容容器内に溜まったマイクロバブル混入水は、自重により流出路を流下し、霧化装置で霧化されて下流の噴霧口からマスクの空間部に霧状（ミスト）となって噴霧され、顔面全体に広がることになる。
また、マスク内面に顔面に向けて光を照射する発光素子を備え、該発光素子は紫外線を含む光を照射するＬＥＤであり、前記マイクロバブル水発生装置の水流入口に供給する水に薬効成分を混入させたので、紫外線と薬効成分との相乗作用により美顔効果の向上が期待できる。
請求項２に係る考案は、水に混入させる薬効成分をビタミンＣ及び／又はホウ酸としたので、ビタミンＣとすれば紫外線とビタミンＣとの相乗作用により、新陳代謝が促され、美肌効果が期待できる。また、ホウ酸とすれば、目の洗浄効果を高めることが期待できる。
請求項３に係る考案は、マスクの鼻部又は口部に開口を設け、該開口に連通するマウスピースを備えたので、外気と直接呼吸でき、薬効成分を吸い込まないようにすることができる。
【図面の簡単な説明】
【０００８】
【図１】本考案の実施例による美顔器の正面図である。
【図２】本考案の実施例による美顔器の断面側面図である。
【図３】本考案の実施例による美顔器において周縁部のクッション材を外した状態の背面図である。
【図４】本考案の実施例による美顔器を装着した状態を示す断面側面図である。
【図５】収容容器部の要部断面側面図である。
【図６】マイクロバブル水発生装置の断面側面図である。
【図７】手動ポンプの一部断面正面図である。
【図８】圧電素子の斜視図である。
【考案を実施するための形態】
【０００９】
以下、本考案の実施例を図面に基づいて具体的に説明する。本考案の実施例による美顔器１は、マイクロバブルを混入した水を生成するマイクロバブル水発生装置２、該マイクロバブル水発生装置２を収容する小容量の収容容器１４、マイクロバブル混入水を霧状（ミスト）にする霧化装置２０、及び顔面を覆うマスク３０を主な構成要素とする。
【００１０】
マイクロバブル水発生装置２は、空気をマイクロバブルの状態で水に混入させるもので、図６に示すようになっている。水は、通常の水でも精製水でもよい。この水に薬効成分を混入させる。ケーシング３内に大径の流入口４、小径の絞り流路５、及び拡開部６を上流から下流に向けて順次同軸に連通形成する。流入口４は継手７を介して注入器８に接続されている。
前記絞り流路５の下流部に段状に大径となる環状の負圧室９を形成し、該負圧室９に小径の空気流入路１０を半径方向外方から連通させる。該空気流入路１０の外端部をケーシング３の外方に突出させ、その突出部１１に空気供給管１２を接続する。
前記拡開部６は、絞り流路５の下流端から下流側に向かって次第に大径となる円錐状に形成し、端面は絞り流路５と対面する広面積の衝突壁６ａとする。拡開部６の端部外周に複数の流出口１３を形成し、該流出口１３から拡開部６内で生成したマイクロバブル混入水を収容容器１４内に流出させる。
後述する手動ポンプによって圧送される水は、絞り流路５を高速で流通し、負圧室９に負圧を発生させ、この部で空気流入路１０から空気を取り込みながら拡開部６の内部で空気が水にマイクロバブルの状態で混入したマイクロバブル混入水が効率よく生成されることになる。
【００１１】
前記注入器８には、図７に示すような手動ポンプ１５を接続して、薬効成分を混入させた水又は精製水を注入する。薬効成分としては、ビタミンＣ（ビタミンＣ誘導体を含む）、ホウ酸等が挙げられる。これら薬効成分は成分に応じて適宜の割合で混入させる。手動ポンプ１５は、円筒状のシリンダ（外筒）１６内にピストン（内筒）１７を摺動可能に嵌合したもので、注射器と同様の構造のものである。
【００１２】
上記のマイクロバブル水発生装置２は小容量の収容容器１４内に収容される（図５）。収容容器１４の内容量は３〜２０ｍｌの範囲が好ましい。本実施例では３ｍｌである。このように、小容量であるので、全体の重さも軽く、装着したままでも重さを感じることがない。なお、本実施例でのマイクロバブル水発生装置２本体の寸法は、φ６ｍｍ×２０ｍｍ程度である。
【００１３】
収容容器１４の底部の中心部にはマイクロバブル混入水の流出口１８を形成してあり、その流出路１９は下方に向かって延び、その流出路１９の途中に圧電素子からなる霧化装置２０を設けてあり、その下流側から薬効成分が混入されたマイクロバブル水が霧状（ミスト）になって流下することになる。
圧電素子（霧化装置）２０は、図８に示すように、円板状に形成され、中心部には水が通過可能な流通部２１が設けられており、この流通部２１をマイクロバブル水が霧化されて流下する。符号２２はリード線である。
霧化装置２０は上下から円板状の挟持板２３，２４により水密に挟持される。挟持板２３、２４の中心部が流出路１９となっている。符号２５，２６はＯリングである。そして、前記流出路１９の下端は霧状となった薬効成分が混入されたマイクロバブル水の噴霧口２７となっている。符号２９は収容容器のキャップである。
【００１４】
これら、収容容器１４、流出路１９、霧化装置２０は円筒状のハウジング２８内に収容され、該ハウジング２８は、マスク３０の上部に取り付けられる。これにより、一連の装置がコンパクトにマスクの上部に収容されることになる。なお、符号３２は霧化スイッチ、３３は充電コネクター、３４は充電ランプである。
【００１５】
マスク３０は、顔面を覆うもので、顔面形状に略対応した形状に形成され、装着した際に顔面との間に所定の空間部３６を有するように形成してある。
また、マスク３０には目、鼻に対応する位置に開口３８を形成してある。なお、鼻部に替えて口部に開口を形成してもよい。
【００１６】
マスク３０内面の左右には、目じり部から頬に沿って縦方向に発光素子であるＬＥＤ（発光ダイオード）３５ａを複数個（本例では８個）配置してある。また、額部には横方向にＬＥＤ３５ｂを複数個（本例では６個）配置してある。このような配列で配置することにより、顔面全体に万遍なくＬＥＤ光が照射されることになる。なお、ＬＥＤの配置数や配置箇所は適宜変更可能である。図３において符号３７はＬＥＤのスイッチである。同じ波長のＬＥＤを配列してもよく、複数の波長のＬＥＤを配列し所望の波長のＬＥＤを選択できるようにすることもできる。
【００１７】
ＬＥＤは所望の波長の紫外線や光が簡単に得られ、光源として好ましい。本考案では紫外線を含む光を照射するＬＥＤを用いる。紫外線の内、ＵＶ−Ａと呼ばれる波長３１５〜３８０ｎｍの紫外線を照射するＬＥＤ、３８０〜４５０ｎｍの波長の紫外線〜可視領域の光を照射するＬＥＤを用いることができる。場合によっては、ＵＶ−Ｂと呼ばれる波長２８０〜３１５ｎｍの紫外線を照射するＬＥＤを用いることもできる。
薬効成分としては、ビタミンＣやホウ酸などが用いられる。ビタミンＣは肌の新陳代謝を促す作用を有し、美肌効果が期待できる。ホウ酸は洗浄作用を有し、目の洗浄に効果的である。
紫外線は肌に対してダメージを与える作用をもつものであるが、薬効性のあるミストを作用させることにより、治癒力の増進が期待される。紫外線とビタミンＣとの相乗作用により、ビタミンＣのもつ新陳代謝を促す作用がより促進され、美肌効果の向上が期待される。また、ホウ酸による洗浄作用がより促進されることが期待される。
【００１８】
マスク３０の鼻部の背面に孔４１を形成した蓋４２を設け、吸い口４３を有するマウスピース４４の基端部を蓋の孔部４１に接続して、マウスピース４４の吸い口４３をマスク３０の鼻部に形成した開口３８に連通させてある。
マウスピース４４（蓋部４２を含めて）はマスク３０と着脱可能にするとよい。これにより、マウスピース４４（蓋部４２を含めて）をマスク３０から取り外して洗浄することができる。なお、マウスピース４４の吸い口４３と基端部との間の胴部４５をフレキシブルに形成してもよい。
【００１９】
マスク３０の両側部にゴムバンドからなる装着具３９を備えてある。なお、装着具３９は、ゴムバンド以外の手段によってもよい。これにより、マスク３０（美顔器１）を顔に装着した状態で動くことができる。また、マスク３０には、目と対向する位置に開口３８を形成してあるので、美顔器１を顔に装着したまま、テレビを観たり、読書をしたり、家事をしたりすることができる。
【００２０】
マスク本体の顔に当たる周縁部には軟質素材からなるクッション材４０を取り付けて、顔の当たりがソフトとなるようにしてある。また、顔面との密着性もよく、空間部３６に流下した霧が周縁部から漏れ出し難くなる。
【００２１】
上記の構成からなる美顔器１の使用方法を説明する。先ず、手動ポンプ１５のシリンダ１６内に薬効成分（ビタミンＣ剤又はホウ酸）を混入した所定量（３ｍｌ）の水（以下、単に水という場合がある）を収容して、その注出口１６ａをマイクロバブル水発生装置２の注入器８に装着し、手動ポンプ１５のピストン１７を押して、シリンダ１６内の水を注入器８を介してマイクロバブル水発生装置２の流入口４に勢いよく注入する。注入終了後、手動ポンプ１５を注入器８から取り外す。
手動ポンプ１５によって圧送（注入）された水は、絞り流路５を高速で流通し、負圧室９に負圧を発生させ、この部で空気流入路１０から空気を取り込みながら拡開部６の内部で空気が水にマイクロバブルの状態で混入したマイクロバブル混入水が効率よく生成され、流出口１３から収容容器１４内に流出し、該収容容器１４内に溜まる（図５）。
この状態でマスク３０を顔に装着し、マウスピース４４の吸い口４３を口にくわえる。霧化スイッチ３２を入れると、霧化装置（圧電素子）２０が作動し薬効成分が混入されたマイクロバブル混入水が霧化されて（霧化量は１ｍｌ／分）、下流の流出路１９を流下し、噴霧口２７からマスク３０の空間部３６内に噴霧される。上記では、噴霧時間は３分程度である。また、ＬＥＤのスイッチ３７を入れると、ＬＥＤ光が顔面を照射することになる。照射時間は３分程度である。なお、上記した数値（水注入量、圧電素子の霧化量、噴霧時間、ＬＥＤの照射時間）は、一例であって限定されるものではない。
【００２２】
これにより、ミストによる潤いの供給、マイクロバブルによる血行促進効果が期待される。また、マイクロバブルによる毛穴の汚れ除去効果、マイクロバブルのソフトな刺激と顔面がミストに包まれることによる安息効果が発揮されることになる。
また、紫外線と薬効成分との相乗作用により、ビタミンＣ（薬効成分）による新陳代謝を促す作用がより促進され、美肌効果の増進が期待される。ホウ酸を用いた場合は、ホウ酸による洗浄作用がより促進されることが期待される。
これらミスト、マイクロバブル、薬効成分、紫外線を含む光の照射の相乗効果による美肌効果が期待できる。
【００２３】
マスク３０には、少なくとも目に対応する部位に開口３８が形成されているので、マスク３０（美顔器１）を装着したまま移動したり、テレビを観たり、読書したり、家事を行うこともできる。また、密閉状態になく、目の開口部３８から霧（ミスト）が抜けていくことから、その分圧迫感が軽減される。
空間部３６にはビタミンＣ、ホウ酸等の成分が混入しているが、外気に連通するマウスピース４４を介して呼吸するので、これら薬効成分を肺に吸い込まないようにすることができる。
【符号の説明】
【００２４】
１  美顔器
２  マイクロバブル水発生装置
３  ケーシング
４  流入口
５  絞り流路
６  拡開部
７  継手
８  注入器
９  負圧室
１０  空気流入路
１１  突出部
１２  空気供給管
１３  流出口
１４  収容容器
１５  手動ポンプ
１６  シリンダ
１７  ピストン
１８  流出口
１９  流出路
２０  霧化装置
２１  流通部
２２  リード線
２３，２４  挟持板
２５，２６  Ｏリング
２７  噴霧口
２８  ハウジング
２９  キャップ
３０  マスク
３２  霧化スイッチ
３３  充電コネクター
３４  充電ランプ
３５ａ，３５ｂ  ＬＥＤ
３６  空間部
３７  ＬＥＤスイッチ
３８  開口
３９  装着具（ゴムバンド）
４０  クッション材
４１  孔
４２  蓋
４３  吸い口
４４  マウスピース
４５  胴部
【図１】
0003210494.tif 000003
【図２】
0003210494.tif 000004
【図３】
0003210494.tif 000005
【図４】
0003210494.tif 000006
【図５】
0003210494.tif 000007
【図６】
0003210494.tif 000008
【図７】
0003210494.tif 000009
【図８】
0003210494.tif 000010